(57)【要約】【課題】従来のデジタル放送受信システムは、送信側より送られてきた画像、音声等の番組情報を受信側であるユーザが単に受信する、あるいは単に蓄積し番組を視聴するというシステムであり、効率よく番組を蓄積するというシステムは実現されておらず、テレビ放送を受信するユーザが好みに合うように番組内容を自動的に再編集できない。【解決手段】送信側からある一つの番組に関して画像や音声等の主情報と受信側で自動編集を可能にするための時間毎の副情報を送信し、主情報と副情報を用いた自動編集アルゴリズムにより受信側で自動的に新たな番組を再編集する。【選択図】　図４
2004146992.tif 000002
【特許請求の範囲】
【請求項１】
デジタル放送送受信システムにおいて、送信側からある一つの番組に関して画像や音声等の主情報と受信側で自動編集を可能にするための時間毎の副情報を送信し、主情報と副情報を用いた自動編集アルゴリズムにより受信側で自動的に新たな番組を再編集するデジタル放送受信機。
【請求項２】
受信アンテナで受けたデジタル変調波を入力するＲＦ入力部と、受信電波から目的の搬送波を選択し、復調しトランスポートストリームを復元するチューナ／復調器と、ＴＳの中から、鍵パケットの抽出やデスクランブル動作をするデスクランブラと、デスクランブルされトランスポートストリームを分離し、映像、音声、データなどのコンテンツを分離するＤＥＭＵＸ部と、ＤＥＭＵＸ部からのビデオ／オーディオのＰＥＳを受け、元の映像や音声信号のデジタル的な信号に戻すデコーダ部と、デコーダからの映像信号をアナログの元信号に戻すビデオエンコーダ部と、デコーダからの音声信号をアナログの元信号に戻すオーディオＤＡＣ部と、システム全体を制御するＣＰＵシステム部と、送信側から画像や音声等の主情報と受信側で自動編集を可能にするための副情報を送信し、受信側で主情報と副情報を用いた新たな番組を再編集するための自動編集アルゴリズムを含んだ制御アルゴリズムが記憶されているＲＯＭと、ＣＰＵシステム部の動作領域であるＲＡＭと、画像や音声等を蓄積しておくハードディスクと、放送局と接続可能なモデムによって構成されているデジタル放送受信機。
【請求項３】
送信側より副情報として画像、音声等の主情報の時間毎の内容を示す情報を送信し、受信側で画像、音声等の主情報をハードディスクに蓄積しておき、受信した副情報からユーザが好みの項目を選択し、その内容に関する画像、音声を抜き取り、受信側でユーザの嗜好にあった番組を再編集し、蓄積するという自動編集アルゴリズムを含んだ制御アルゴリズムが記憶されているＲＯＭを備えた請求項２記載のデジタル放送受信機。
【請求項４】
送信側より副情報として画像、音声等の主情報の時間毎の内容を示す情報を送信し、受信側で画像、音声等の主情報をハードディスクに蓄積しておき、受信した副情報からあらかじめユーザが選択しておいた項目に関する内容に合致するものを抜き取り、受信側でユーザの嗜好にあった番組を再編集し、蓄積するという自動編集アルゴリズムを含んだ制御アルゴリズムが記憶されているＲＯＭを備えた請求項２記載のデジタル放送受信機。
【請求項５】
送信側より副情報として時間毎の短縮版編集のための情報を準備し、受信側で画像、音声等の主情報をハードディスクに蓄積しておき、受信した副情報である短縮版編集のための情報を使って、受信側でユーザの嗜好にあった番組を再編集し、蓄積するという自動編集アルゴリズムを含んだ制御アルゴリズムが記憶されているＲＯＭを備えた請求項２記載のデジタル放送受信機。
【請求項６】
送信側より副情報としてアナウンサの声の大きさを数値化した時間毎の情報を準備し、受信側で画像、音声等の主情報をハードディスクに蓄積しておき、受信した副情報であるアナウンサの声の大きさを数値化した情報を使って、受信側でユーザの嗜好にあった番組を再編集し、蓄積するという自動編集アルゴリズムを含んだ制御アルゴリズムが記憶されているＲＯＭを備えた請求項２記載のデジタル放送受信機。
【請求項７】
送信側より副情報として観客の声の大きさを数値化した時間毎の情報を準備し、受信側で画像、音声等の主情報をハードディスクに蓄積しておき、受信した副情報である観客の声の大きさを数値化した情報を使って、受信側でユーザの嗜好にあった番組を再編集し、蓄積するという自動編集アルゴリズムを含んだ制御アルゴリズムが記憶されているＲＯＭを備えた請求項２記載のデジタル放送受信機。
【請求項８】
受信側で画像、音声等の主情報をハードディスクに蓄積しておき、受信側でアナウンサの声の大きさを時間毎に数値化し、その情報を使って、受信側でユーザの嗜好にあった番組を再編集し、蓄積するという自動編集アルゴリズムを含んだ制御アルゴリズムが記憶されているＲＯＭを備えた請求項２記載のデジタル放送受信機。
【請求項９】
受信側で画像、音声等の主情報をハードディスクに蓄積しておき、受信側で観客の声の大きさを時間毎に数値化し、その情報を使って、受信側でユーザの嗜好にあった番組を再編集し、蓄積するという自動編集アルゴリズムを含んだ制御アルゴリズムが記憶されているＲＯＭを備えた請求項２記載のデジタル放送受信機。
【発明の詳細な説明】
【０００１】
【発明の属する技術分野】
本発明は、デジタル放送送受信システムおよび、デジタル放送受信機に関するものである。
【０００２】
【従来の技術】
図１４に従来のデジタル放送送受信システムの一例としてＢＳデジタル放送送受信システムを示す（例えば、非特許文献１参照。）。ニュース、スポーツ等の番組、コンテンツを送信する放送局１１と、放送局から衛星ＩＳＤＢに放送電波を送信する送信アンテナ１２と、各家庭に１２ＧＨｚ帯の電波を配信する衛星ＩＳＤＢ１３と、衛星ＩＳＤＢ１３の電波を受信し１２ＧＨｚ帯から１ＧＨｚ帯にダウンコンバードする衛星用受信アンテナ１４と、１ＧＨｚ帯の信号からビデオ信号、音声信号を再生する衛星デジタル放送用受信機１５により構成されている。
【０００３】
図１４を用いて、従来のＢＳデジタル放送送受信システムの動作について説明する。ニュース、スポーツ等の番組、コンテンツを送信する放送局１１より送信アンテナ１２で衛星ＩＳＤＢ１３に電波を配信する。その衛星ＩＳＤＢ１３より１２ＧＨｚ帯の周波数電波が各家庭に送られ、衛星用受信アンテナ１４で受信する。衛星用受信アンテナ１４では、１２ＧＨｚ帯から１ＧＨｚ帯にダウンコンバートされ、衛星デジタル放送用受信機１５により、送られてきた電波よりビデオ信号、音声信号を再生し、ユーザが番組視聴を楽しむという構成になっている。衛星放送を一例にあげたが、地上デジタル放送、ケーブルデジタル放送に関しても、伝送するインフラ、周波数が異なるだけで、送受信システムの構成は同様となる。
【０００４】
図１５は、従来のデジタル放送受信機の構成を示すブロック図である（例えば、非特許文献２参照。）。受信アンテナで受けたデジタル変調波を入力するＲＦ入力部２１と、受信電波から目的の搬送波を選択し、復調しトランスポートストリームを復元するチューナ／復調器２２と、ＴＳの中から、鍵パケットの抽出やデスクランブル動作をするデスクランブラ２３と、デスクランブルされトランスポートストリームを分離し、映像、音声、データなどのコンテンツを分離するＤＥＭＵＸ部２４と、ＤＥＭＵＸ部からのビデオ／オーディオのＰＥＳを受け、元の映像や音声信号のデジタル的な信号に戻すデコーダ部２５と、デコーダからの映像信号をアナログの元信号に戻すビデオエンコーダ部２６と、デコーダからの音声信号をアナログの元信号に戻すオーディオＤＡＣ部２７と、システム全体を制御するＣＰＵシステム部２８、制御アルゴリズムが記憶されているＲＯＭ２９、ＣＰＵシステム部２８の動作領域であるＲＡＭ２１０によって構成されている。
従来のデジタル放送受信機の動作を、図１５を用いて説明する。
【０００５】
まず、受信アンテナで受けたデジタル変調波をＲＦ入力部２１より入力し、チューナ／復調器２２でチューナにより受信電波から目的の搬送波を選択し、復調器でデジタル復調を行い電波により送られてきた信号よりトランスポートストリームを復元し、デスクランブラ２３でトランスポートストリームの中から鍵パケットを抽出し、デスクランブル動作（復号化）を行う。次に、ＤＥＭＵＸ部２４でデスクランブルされた（暗号化が解けた状態の）トランスポートストリームをデマルチプレクス（分離）し、映像や音声、データなどのコンテンツを分離し、後段に渡す。ここでの出力は、トランスポート化されるＰＥＳ（パケッタイズエレメンタリストリーム）やＥＳ（エレメンタリストリーム）となる。映像ＰＥＳや音声ＰＥＳはデコーダ部に渡され、データのＰＥＳやＥＳはソフトウェアによる処理をされデコーダの表示部で合成されて表示される。そして、デコーダ部１４でＤＥＭＵＸ部１３からのビデオ／オーディオのＰＥＳを受け、元の映像や音声信号のデジタル的な信号にまで戻す。また、データコンテンツの表示の合成を行うものもある。その後、ビデオエンコーダ部２６でデコーダ２５からの映像信号を元のアナログ映像信号に戻し、オーディオＤＡＣ部２７でデコーダ２５からの音声信号を元のアナログ音声信号に戻し、出力する。これらのすべての動作は、システム全体を制御するＣＰＵシステム部２８と、システムの制御アルゴリズムが記憶されているＲＯＭ２９と、ＣＰＵシステム部２８の動作領域であるＲＡＭ２１０によって制御される。また、現在では、図１６のように大量の画像、音声データを蓄積するためのハードディスク２１１を内蔵したデジタル放送受信機も製品化されている。
【０００６】
図１７に、従来のデジタル放送用受信機の番組選択の基本フローを示す（例えば、非特許文献３参照。）。まず、人間が選局するチャネルを決める。受信機は目的とするチャネルがどのキャリアにあるかを知るためにＮＩＴ（Ｎｅｔｗｏｒｋ　Ｉｎｆｏｒｍａｔｉｏｎ　Ｔａｂｌｅ）を取得し、中の記述を見る。次に、目的とするチャネルのキャリア周波数にチューニングし、目的のＴＳを取り出す。次に、選択したいチャネルを含んだキャリアから取り出したＴＳから目的とするチャネル情報を選択するフローについて説明する。まず、番組の全体情報を記述してあるセクションデータのＰＡＴ（Ｐｒｏｇｒａｍ　Ａｓｓｏｃｉａｔｉｏｎ　Ｔａｂｌｅ）をサーチして内容を見る。ＰＡＴの中には、そのＴＳ内に含まれるサービスＩＤ（チャネル）の構成と、その詳細情報が記述されているＰＭＴ（Ｐｒｏｇｒａｍ　Ｍａｐｐｅｄ　Ｔａｂｌｅ）のＰＩＤ（Ｐｒｏｃｅｓｓ　Ｉｄｅｎｔｉｆｉｃａｔｉｏｎ）が記述されている。目的とするチャネルのＰＭＴのＰＩＤがわかれば、次にそのＰＩＤをサーチし、ＰＭＴの内容を見る。ＰＭＴの中には、そのチャネルで送られてくるビデオ、オーディオ、データのそれぞれのＰＩＤが記述されている。ビデオ、オーディオ、データのそれぞれのＰＩＤがわかれば、それのみを選択してハードウェアデコーダやソフトウェアのデータコンテンツブラウザなどに送って表示可能となる。
【０００７】
図１８に、ハードディスク等の蓄積メディアに蓄積する場合の基本フローを示す。ユーザの選択した番組受信後に、ハードディスクへ情報を蓄積するという動作以外は、すべて図１７と同じ動作である。
【０００８】
【非特許文献１】
技術雑誌、Ｉｎｔｅｒｆａｃｅ　　Ｎｏｖ．２０００、“特集ディジタル放送の画像／音声／データ処理技術”、Ｐ６８の図１
【非特許文献２】
技術雑誌、Ｉｎｔｅｒｆａｃｅ　　Ｎｏｖ．２０００、“特集ディジタル放送の画像／音声／データ処理技術”、Ｐ８７の図２
【非特許文献３】
技術雑誌、Ｉｎｔｅｒｆａｃｅ　　Ｎｏｖ．２０００、“特集ディジタル放送の画像／音声／データ処理技術”、Ｐ８８の図４
【０００９】
【発明が解決しようとする課題】
しかしながら、従来のデジタル放送受信機では、送信側より送られてきた画像、音声等の番組情報を受信側であるユーザが単に受信する、あるいは単に蓄積し番組を視聴するというシステムであり、効率よく番組を蓄積するというシステムは実現されておらず、テレビ放送を受信するユーザが好みに合うように番組内容を自動的に再編集できないという問題点があった。
【００１０】
本発明は、受信側でユーザの好みに合うように、自動的に番組内容を再編集するという機能を実現することにより、従来にはない新しい価値を持つユーザがテレビを効率よく視聴できるデジタル放送受信機を提供するものである。
【００１１】
【発明の実施の形態】
本発明の請求項１に記載した発明は、デジタル放送送受信システムにおいて、送信側からある一つの番組に関して画像や音声等の主情報と受信側で自動編集を可能にするための副情報を送信し、主情報と副情報を用いた自動編集アルゴリズムにより受信側で自動的に新たな番組を再編集するデジタル放送受信機としたものであり、受信側でユーザがテレビを効率よく視聴できるという効果を有する。
【００１２】
本発明の請求項２に記載した発明は、受信アンテナで受けたデジタル変調波を入力するＲＦ入力部と、受信電波から目的の搬送波を選択し、復調しトランスポートストリームを復元するチューナ／復調器と、ＴＳの中から、鍵パケットの抽出やデスクランブル動作をするデスクランブラと、デスクランブルされトランスポートストリームを分離し、映像、音声、データなどのコンテンツを分離するＤＥＭＵＸ部と、ＤＥＭＵＸ部からのビデオ／オーディオのＰＥＳを受け、元の映像や音声信号のデジタル的な信号に戻すデコーダ部と、デコーダからの映像信号をアナログの元信号に戻すビデオエンコーダ部と、デコーダからの音声信号をアナログの元信号に戻すオーディオＤＡＣ部と、システム全体を制御するＣＰＵシステム部と、送信側から画像や音声等の主情報と受信側で自動編集を可能にするための副情報を送信し、受信側で主情報と副情報を用いた新たな番組を再編集するための自動編集アルゴリズムを含んだ制御アルゴリズムが記憶されているＲＯＭと、ＣＰＵシステム部の動作領域であるＲＡＭと、画像や音声等を蓄積しておくハードディスクと、放送局と接続可能なモデムによって構成されているデジタル放送受信機としたものであり、受信側でユーザがテレビを効率よく視聴できるという効果を有する。
【００１３】
本発明の請求項３に記載した発明は、送信側より副情報として画像、音声等の主情報の時間毎の内容を示す情報を送信し、受信側で画像、音声等の主情報をハードディスクに蓄積しておき、受信した副情報からユーザが好みの項目を選択し、その内容に関する画像、音声を抜き取り、受信側でユーザの嗜好にあった番組を再編集し、蓄積するという自動編集アルゴリズムを含んだ制御アルゴリズムが記憶されているＲＯＭを備えた請求項２記載のデジタル放送受信機としたものであり、受信側でユーザがテレビを効率よく視聴できるという効果を有する。
【００１４】
本発明の請求項４に記載した発明は、送信側より副情報として画像、音声等の主情報の時間毎の内容を示す情報を送信し、受信側で画像、音声等の主情報をハードディスクに蓄積しておき、受信した副情報からあらかじめユーザが選択しておいた項目に関する内容に合致するものを抜き取り、受信側でユーザの嗜好にあった番組を再編集し、蓄積するという自動編集アルゴリズムを含んだ制御アルゴリズムが記憶されているＲＯＭを備えた請求項２記載のデジタル放送受信機としたものであり、受信側でユーザがテレビを効率よく視聴できるという効果を有する。
【００１５】
本発明の請求項５に記載した発明は、送信側より副情報として時間毎の短縮版編集のための情報を準備し、受信側で画像、音声等の主情報をハードディスクに蓄積しておき、受信した副情報である短縮版編集のための情報を使って、受信側でユーザの嗜好にあった番組を再編集し、蓄積するという自動編集アルゴリズムを含んだ制御アルゴリズムが記憶されているＲＯＭを備えた請求項２記載のデジタル放送受信機としたものであり、受信側でユーザがテレビを効率よく視聴できるという効果を有する。
【００１６】
本発明の請求項６に記載した発明は、送信側より副情報としてアナウンサの声の大きさを数値化した時間毎の情報を準備し、受信側で画像、音声等の主情報をハードディスクに蓄積しておき、受信した副情報であるアナウンサの声の大きさを数値化した情報を使って、受信側でユーザの嗜好にあった番組を再編集し、蓄積するという自動編集アルゴリズムを含んだ制御アルゴリズムが記憶されているＲＯＭを備えた請求項２記載のデジタル放送受信機としたものであり、受信側でユーザがテレビを効率よく視聴できるという効果を有する。
【００１７】
本発明の請求項７に記載した発明は、送信側より副情報として観客の声の大きさを数値化した時間毎の情報を準備し、受信側で画像、音声等の主情報をハードディスクに蓄積しておき、受信した副情報である観客の声の大きさを数値化した情報を使って、受信側でユーザの嗜好にあった番組を再編集し、蓄積するという自動編集アルゴリズムを含んだ制御アルゴリズムが記憶されているＲＯＭを備えた請求項２記載のデジタル放送受信機としたものであり、受信側でユーザがテレビを効率よく視聴できるという効果を有する。
【００１８】
本発明の請求項８に記載した発明は、受信側で画像、音声等の主情報をハードディスクに蓄積しておき、受信側でアナウンサの声の大きさを時間毎に数値化し、その情報を使って、受信側でユーザの嗜好にあった番組を再編集し、蓄積するという自動編集アルゴリズムを含んだ制御アルゴリズムが記憶されているＲＯＭを備えた請求項２記載のデジタル放送受信機としたものであり、受信側でユーザがテレビを効率よく視聴できるという効果を有する。
【００１９】
本発明の請求項９に記載した発明は、受信側で画像、音声等の主情報をハードディスクに蓄積しておき、受信側で観客の声の大きさを時間毎に数値化し、その情報を使って、受信側でユーザの嗜好にあった番組を再編集し、蓄積するという自動編集アルゴリズムを含んだ制御アルゴリズムが記憶されているＲＯＭを備えた請求項２記載のデジタル放送受信機としたものであり、受信側でユーザがテレビを効率よく視聴できるという効果を有する。
【００２０】
（実施の形態１）
以下、本発明の実施の形態について、図１、図２を用いて説明する。
【００２１】
図１に、本発明のデジタル放送用受信機を含むデジタル放送受信システムの一例として本発明のＢＳデジタル放送送受信システムを示す。ニュース、スポーツ等の番組、コンテンツと番組に関する画像や音声等の主情報を受信側で自動編集を可能にするための副情報を送信する放送局１１と、放送局から衛星ＩＳＤＢに放送電波を送信する送信アンテナ１２と、各家庭に１２ＧＨｚ帯の電波を配信する衛星ＩＳＤＢ１３と、衛星ＩＳＤＢ１３の電波を受信し１２ＧＨｚ帯から１ＧＨｚ帯にダウンコンバードする衛星用受信アンテナ１４と、１ＧＨｚ帯の信号からビデオ信号、音声信号を再生する衛星デジタル放送用受信機１５により構成されている。
【００２２】
図１を用いて、本発明のＢＳデジタル放送送受信システムの動作について説明する。ニュース、スポーツ等の番組、コンテンツを送信する放送局１１より送信アンテナ１２で衛星ＩＳＤＢ１３に電波を配信する。その衛星ＩＳＤＢ１３より１２ＧＨｚ帯の周波数電波が各家庭に送られ、衛星用受信アンテナ１４で受信する。衛星用受信アンテナ１４では、１２ＧＨｚ帯から１ＧＨｚ帯にダウンコンバートされ、衛星デジタル放送用受信機１５により、送られてきた電波よりユーザが視聴あるいは蓄積したい番組を選択し、視聴あるいは自動蓄積する。一方放送局１１より、番組に関する画像や音声等の主情報を受信側で自動編集を可能にするための副情報が送信されるが、そのインフラは、電話回線、衛星、ケーブル、地上波等が考えられるが、ここでは限定しない。衛星放送を一例にあげたが、地上デジタル放送、ケーブルデジタル放送に関しても、伝送するインフラ、周波数が異なるだけで、送受信システムの構成は同様となる。
【００２３】
図２は、本発明のデジタル放送受信機の構成を示すブロック図である。受信アンテナで受けたデジタル変調波を入力するＲＦ入力部２１と、受信電波から目的の搬送波を選択し、復調しトランスポートストリームを復元するチューナ／復調器２２と、ＴＳの中から、鍵パケットの抽出やデスクランブル動作をするデスクランブラ２３と、デスクランブルされトランスポートストリームを分離し、映像、音声、データなどのコンテンツを分離するＤＥＭＵＸ部２４と、ＤＥＭＵＸ部からのビデオ／オーディオのＰＥＳを受け、元の映像や音声信号のデジタル的な信号に戻すデコーダ部２５と、デコーダからの映像信号をアナログの元信号に戻すビデオエンコーダ部２６と、デコーダからの音声信号をアナログの元信号に戻すオーディオＤＡＣ部２７と、システム全体を制御するＣＰＵシステム部２８、送信側から画像や音声等の主情報と受信側で自動編集を可能にするための副情報を送信し、受信側で主情報と副情報を用いた新たな番組を再編集するための自動編集アルゴリズムを含んだ制御アルゴリズムが記憶されているＲＯＭ２９、ＣＰＵシステム部２８の動作領域であるＲＡＭ２１０と、画像や音声等を蓄積しておくハードディスク２１１と、放送局と接続可能なモデム２１２によって構成されている。
【００２４】
本発明のデジタル放送受信機の動作を、図２を用いて説明する。　まず、受信アンテナで受けたデジタル変調波をＲＦ入力部２１より入力し、チューナ／復調器２２でチューナにより受信電波からユーザが自動蓄積したい番組の搬送波を選択し、復調器でデジタル復調を行い電波により送られてきた信号よりトランスポートストリームを復元し、デスクランブラ２３でトランスポートストリームの中から鍵パケットを抽出し、デスクランブル動作（復号化）を行う。次に、ＤＥＭＵＸ部２４でデスクランブルされた（暗号化が解けた状態の）トランスポートストリームをデマルチプレクス（分離）し、映像や音声、データなどのコンテンツを分離し、後段と、ハードディスク２１１に渡し蓄積しておく。一方で、電話回線により、放送局より、図３のような画像や音声等の主情報の時間毎の内容を示す情報を送信し、モデム２１２で受信する。その中からユーザの好みにあった項目を選択し、その部分の時間の画像、音声データを抜き取り番組を再編集、ハードディスク２１１に再蓄積する。その再蓄積した映像ＰＥＳや音声ＰＥＳはデコーダ部に渡される。そして、デコーダ部１４でＤＥＭＵＸ部１３からのビデオ／オーディオのＰＥＳを受け、元の映像や音声信号のデジタル的な信号にまで戻す。その後、ビデオエンコーダ部２６でデコーダ２５からの映像信号を元のアナログ映像信号に戻し、オーディオＤＡＣ部２７でデコーダ２５からの音声信号を元のアナログ音声信号に戻し、出力する。これらのすべての動作は、システム全体を制御するＣＰＵシステム部２８と、送信側から画像や音声等の主情報と受信側で自動編集を可能にするための副情報を送信し、受信側で主情報と副情報を用いた新たな番組を再編集するための自動編集アルゴリズムを含んだ制御アルゴリズムとシステムの制御アルゴリズムが記憶されているＲＯＭ２９と、ＣＰＵシステム部２８の動作領域であるＲＡＭ２１０によって制御される。
【００２５】
ここでは、副情報を受信する手段として電話回線を一例にあげたが、衛星、ケーブル、地上波等の別のインフラを使用してもよい。
【００２６】
図４に本発明のデジタル放送受信機の基本フローを示し、動作を説明する。まずユーザが再蓄積したい番組を選択しその番組を受信する。次に、その番組の映像、音声等の主情報をハードディスクに蓄積する。さらに放送局からの副情報を取得し、その副情報からユーザが項目を選択する。そして、ハードディスクからその項目の部分の映像、音声情報を抜き出し、ハードディスクに再編集番組として再蓄積される。その再編集番組をユーザが視聴するというフローになっている。
【００２７】
（実施の形態２）
以下、本発明の実施の形態について、図１、図２、図３、図５を用いて説明する。
【００２８】
図１、図３の構成および動作は、実施の形態１と全く同じものであるため、省略する。
【００２９】
図２は、構成は実施の形態１と全く同じであるため、省略するが、動作が異なるので次に説明する。
【００３０】
本発明のデジタル放送受信機の動作を、図２を用いて説明する。　まず、受信アンテナで受けたデジタル変調波をＲＦ入力部２１より入力し、チューナ／復調器２２でチューナにより受信電波からユーザが自動蓄積したい番組の搬送波を選択し、復調器でデジタル復調を行い電波により送られてきた信号よりトランスポートストリームを復元し、デスクランブラ２３でトランスポートストリームの中から鍵パケットを抽出し、デスクランブル動作（復号化）を行う。次に、ＤＥＭＵＸ部２４でデスクランブルされた（暗号化が解けた状態の）トランスポートストリームをデマルチプレクス（分離）し、映像や音声、データなどのコンテンツを分離し、後段と、ハードディスク２１１に渡し蓄積しておく。一方で、電話回線により、放送局より、図３のような画像や音声等の主情報の時間毎の内容を示す情報を送信し、モデム２１２で受信する。その中から、あらかじめユーザが決定しておいた項目（例えば、サッカーのシュートシーン）と合致する項目を自動選択し、その部分の時間の画像、音声データを抜き取り番組を再編集、ハードディスク２１１に再蓄積する。その再蓄積した映像ＰＥＳや音声ＰＥＳはデコーダ部に渡される。そして、デコーダ部１４でＤＥＭＵＸ部１３からのビデオ／オーディオのＰＥＳを受け、元の映像や音声信号のデジタル的な信号にまで戻す。その後、ビデオエンコーダ部２６でデコーダ２５からの映像信号を元のアナログ映像信号に戻し、オーディオＤＡＣ部２７でデコーダ２５からの音声信号を元のアナログ音声信号に戻し、出力する。これらのすべての動作は、システム全体を制御するＣＰＵシステム部２８と、送信側から画像や音声等の主情報と受信側で自動編集を可能にするための副情報を送信し、受信側で主情報と副情報を用いた新たな番組を再編集するための自動編集アルゴリズムを含んだ制御アルゴリズムとシステムの制御アルゴリズムが記憶されているＲＯＭ２９と、ＣＰＵシステム部２８の動作領域であるＲＡＭ２１０によって制御される。
【００３１】
ここでは、副情報を受信する手段として電話回線を一例にあげたが、衛星、ケーブル、地上波等の別のインフラを使用してもよい
図５は、実施の形態１とは別発明となる本発明のデジタル放送用受信機の基本フローであり、動作を説明する。まずユーザが再蓄積したい番組を選択しその番組を受信する。次に、その番組の映像、音声等の主情報をハードディスクに蓄積する。さらに放送局からの副情報を取得するが、ユーザが興味のある項目を予め選んでおき、その項目と副情報から項目が合致する項目を選択する。そして、ハードディスクからその項目の部分の映像、音声情報を抜き出し、ハードディスクに再編集番組として再蓄積される。その再編集番組をユーザが視聴するというフローになっている。
【００３２】
（実施の形態３）
以下、本発明の実施の形態について、図１、図２、図６、図７を用いて説明する。
【００３３】
図１の構成および動作は、実施の形態１と全く同じものであるため、省略する。
【００３４】
図２は、構成は実施の形態１と全く同じであるため、省略するが、動作が異なるので次に説明する。
【００３５】
本発明のデジタル放送受信機の動作を、図２を用いて説明する。　まず、受信アンテナで受けたデジタル変調波をＲＦ入力部２１より入力し、チューナ／復調器２２でチューナにより受信電波からユーザが自動蓄積したい番組の搬送波を選択し、復調器でデジタル復調を行い電波により送られてきた信号よりトランスポートストリームを復元し、デスクランブラ２３でトランスポートストリームの中から鍵パケットを抽出し、デスクランブル動作（復号化）を行う。次に、ＤＥＭＵＸ部２４でデスクランブルされた（暗号化が解けた状態の）トランスポートストリームをデマルチプレクス（分離）し、映像や音声、データなどのコンテンツを分離し、後段と、ハードディスク２１１に渡し蓄積しておく。一方で、電話回線により、放送局より、図６のような送信側より副情報として時間にそった短縮版編集のための情報を作成し送信し、モデム２１２で受信する。その部分の時間の画像、音声データを抜き取り番組を再編集、ハードディスク２１１に再蓄積する。その再蓄積した映像ＰＥＳや音声ＰＥＳはデコーダ部に渡される。そして、デコーダ部１４でＤＥＭＵＸ部１３からのビデオ／オーディオのＰＥＳを受け、元の映像や音声信号のデジタル的な信号にまで戻す。その後、ビデオエンコーダ部２６でデコーダ２５からの映像信号を元のアナログ映像信号に戻し、オーディオＤＡＣ部２７でデコーダ２５からの音声信号を元のアナログ音声信号に戻し、出力する。これらのすべての動作は、システム全体を制御するＣＰＵシステム部２８と、送信側から画像や音声等の主情報と受信側で自動編集を可能にするための副情報を送信し、受信側で主情報と副情報を用いた新たな番組を再編集するための自動編集アルゴリズムを含んだ制御アルゴリズムとシステムの制御アルゴリズムが記憶されているＲＯＭ２９と、ＣＰＵシステム部２８の動作領域であるＲＡＭ２１０によって制御される。
【００３６】
ここでは、副情報を受信する手段として電話回線を一例にあげたが、衛星、ケーブル、地上波等の別のインフラを使用してもよい
図７は、実施の形態１とは別発明となる本発明のデジタル放送用受信機の基本フローであり、動作を説明する。まずユーザが再蓄積したい番組を選択しその番組を受信する。次に、その番組の映像、音声等の主情報をハードディスクに蓄積する。さらに放送局からの短縮版編集の副情報を取得し、ハードディスクからその項目の部分の映像、音声情報を抜き出し、ハードディスクに再編集番組として再蓄積される。その再編集番組をユーザが視聴するというフローになっている。
【００３７】
（実施の形態４）
以下、本発明の実施の形態について、図１、図２、図８、図９を用いて説明する。
【００３８】
図１の構成および動作は、実施の形態１と全く同じものであるため、省略する。
【００３９】
図２は、構成は実施の形態１と全く同じであるため、省略するが、動作が異なるので次に説明する。
【００４０】
本発明のデジタル放送受信機の動作を、図２を用いて説明する。　まず、受信アンテナで受けたデジタル変調波をＲＦ入力部２１より入力し、チューナ／復調器２２でチューナにより受信電波からユーザが自動蓄積したい番組の搬送波を選択し、復調器でデジタル復調を行い電波により送られてきた信号よりトランスポートストリームを復元し、デスクランブラ２３でトランスポートストリームの中から鍵パケットを抽出し、デスクランブル動作（復号化）を行う。次に、ＤＥＭＵＸ部２４でデスクランブルされた（暗号化が解けた状態の）トランスポートストリームをデマルチプレクス（分離）し、映像や音声、データなどのコンテンツを分離し、後段と、ハードディスク２１１に渡し蓄積しておく。一方で、電話回線により、放送局より、図８のような送信側より副情報としてアナウンサの声の大きさを数値化した時間毎の情報を作成し送信し、モデム２１２で受信する。受信側では、あらかじめ声の大きさの基準値を決めておき、その大きさよりも大きい時の時間の画像、音声データを抜き取り番組を再編集、ハードディスク２１１に再蓄積する。その再蓄積した映像ＰＥＳや音声ＰＥＳはデコーダ部に渡される。そして、デコーダ部１４でＤＥＭＵＸ部１３からのビデオ／オーディオのＰＥＳを受け、元の映像や音声信号のデジタル的な信号にまで戻す。その後、ビデオエンコーダ部２６でデコーダ２５からの映像信号を元のアナログ映像信号に戻し、オーディオＤＡＣ部２７でデコーダ２５からの音声信号を元のアナログ音声信号に戻し、出力する。これらのすべての動作は、システム全体を制御するＣＰＵシステム部２８と、送信側から画像や音声等の主情報と受信側で自動編集を可能にするための副情報を送信し、受信側で主情報と副情報を用いた新たな番組を再編集するための自動編集アルゴリズムを含んだ制御アルゴリズムとシステムの制御アルゴリズムが記憶されているＲＯＭ２９と、ＣＰＵシステム部２８の動作領域であるＲＡＭ２１０によって制御される。
【００４１】
ここでは、副情報を受信する手段として電話回線を一例にあげたが、衛星、ケーブル、地上波等の別のインフラを使用してもよい
図９は、実施の形態１とは別発明となる本発明のデジタル放送用受信機の基本フローであり、動作を説明する。まずユーザが再蓄積したい番組を選択しその番組を受信する。次に、その番組の映像、音声等の主情報をハードディスクに蓄積する。さらに放送局からの副情報を取得するが、ユーザがアナウンサの声の基準値を予め選んでおき、その基準値以上の項目を選択する。そして、ハードディスクからその項目の部分の映像、音声情報を抜き出し、ハードディスクに再編集番組として再蓄積される。その再編集番組をユーザが視聴するというフローになっている。
【００４２】
（実施の形態５）
以下、本発明の実施の形態について、図１、図２、図１０、図１１を用いて説明する。
【００４３】
図１の構成および動作は、実施の形態１と全く同じものであるため、省略する。
【００４４】
図２は、構成は実施の形態１と全く同じであるため、省略するが、動作が異なるので次に説明する。
【００４５】
本発明のデジタル放送受信機の動作を、図２を用いて説明する。
【００４６】
まず、受信アンテナで受けたデジタル変調波をＲＦ入力部２１より入力し、チューナ／復調器２２でチューナにより受信電波からユーザが自動蓄積したい番組の搬送波を選択し、復調器でデジタル復調を行い電波により送られてきた信号よりトランスポートストリームを復元し、デスクランブラ２３でトランスポートストリームの中から鍵パケットを抽出し、デスクランブル動作（復号化）を行う。次に、ＤＥＭＵＸ部２４でデスクランブルされた（暗号化が解けた状態の）トランスポートストリームをデマルチプレクス（分離）し、映像や音声、データなどのコンテンツを分離し、後段と、ハードディスク２１１に渡し蓄積しておく。一方で、電話回線により、放送局より、図１０のような送信側より副情報として観客の声の大きさを数値化した時間毎の情報を作成し送信し、モデム２１２で受信する。受信側では、あらかじめ声の大きさの基準値を決めておき、その大きさよりも大きい時の時間の画像、音声データを抜き取り番組を再編集、ハードディスク２１１に再蓄積する。その再蓄積した映像ＰＥＳや音声ＰＥＳはデコーダ部に渡される。そして、デコーダ部１４でＤＥＭＵＸ部１３からのビデオ／オーディオのＰＥＳを受け、元の映像や音声信号のデジタル的な信号にまで戻す。その後、ビデオエンコーダ部２６でデコーダ２５からの映像信号を元のアナログ映像信号に戻し、オーディオＤＡＣ部２７でデコーダ２５からの音声信号を元のアナログ音声信号に戻し、出力する。これらのすべての動作は、システム全体を制御するＣＰＵシステム部２８と、送信側から画像や音声等の主情報と受信側で自動編集を可能にするための副情報を送信し、受信側で主情報と副情報を用いた新たな番組を再編集するための自動編集アルゴリズムを含んだ制御アルゴリズムとシステムの制御アルゴリズムが記憶されているＲＯＭ２９と、ＣＰＵシステム部２８の動作領域であるＲＡＭ２１０によって制御される。
【００４７】
ここでは、副情報を受信する手段として電話回線を一例にあげたが、衛星、ケーブル、地上波等の別のインフラを使用してもよい。
【００４８】
図１１は、実施の形態１とは別発明となる本発明のデジタル放送用受信機の基本フローであり、動作を説明する。まずユーザが再蓄積したい番組を選択しその番組を受信する。次に、その番組の映像、音声等の主情報をハードディスクに蓄積する。さらに放送局からの副情報を取得するが、ユーザが観客の声の基準値を予め選んでおき、その基準値以上の項目を選択する。そして、ハードディスクからその項目の部分の映像、音声情報を抜き出し、ハードディスクに再編集番組として再蓄積される。その再編集番組をユーザが視聴するというフローになっている。
【００４９】
（実施の形態６）
以下、本発明の実施の形態について、図１、図２、図７、図１２を用いて説明する。
【００５０】
図１の構成および動作は、実施の形態１と全く同じものであるため、省略する。
【００５１】
図２は、構成は実施の形態１と全く同じであるため、省略するが、動作が異なるので次に説明する。
【００５２】
本発明のデジタル放送受信機の動作を、図２を用いて説明する。　まず、受信アンテナで受けたデジタル変調波をＲＦ入力部２１より入力し、チューナ／復調器２２でチューナにより受信電波からユーザが自動蓄積したい番組の搬送波を選択し、復調器でデジタル復調を行い電波により送られてきた信号よりトランスポートストリームを復元し、デスクランブラ２３でトランスポートストリームの中から鍵パケットを抽出し、デスクランブル動作（復号化）を行う。次に、ＤＥＭＵＸ部２４でデスクランブルされた（暗号化が解けた状態の）トランスポートストリームをデマルチプレクス（分離）し、映像や音声、データなどのコンテンツを分離し、後段と、ハードディスク２１１に渡し蓄積しておく。同時に、映像ＰＥＳや音声ＰＥＳはデコーダ部に渡される。そして、デコーダ部１４でＤＥＭＵＸ部１３からのビデオ／オーディオのＰＥＳを受け、元の映像や音声信号のデジタル的な信号にまで戻す。その後、ビデオエンコーダ部２６でデコーダ２５からの映像信号を元のアナログ映像信号に戻し、オーディオＤＡＣ部２７でデコーダ２５からの音声信号を元のアナログ音声信号に戻し、出力する。このとき、音声信号からアナウンサの声を抜き出し、図７のようにアナウンサの声の大きさを数値化した時間毎の情報を作成する。そして、あらかじめ声の大きさの基準値を決めておき、その大きさよりも大きい時の時間の画像、音声データを抜き取り番組を再編集、ハードディスク２１１に再蓄積する。これらのすべての動作は、システム全体を制御するＣＰＵシステム部２８と、受信側で主情報と作成した情報を用いた新たな番組を再編集するための自動編集アルゴリズムを含んだ制御アルゴリズムとシステムの制御アルゴリズムが記憶されているＲＯＭ２９と、ＣＰＵシステム部２８の動作領域であるＲＡＭ２１０によって制御される。
【００５３】
ここでは、副情報を受信する手段として電話回線を一例にあげたが、衛星、ケーブル、地上波等の別のインフラを使用してもよい。
【００５４】
図１２は、実施の形態１とは別発明となる本発明のデジタル放送用受信機の基本フローで実施の形態１とは別発明となる本発明のデジタル放送用受信機の基本フローであり、動作を説明する。まずユーザが再蓄積したい番組を選択しその番組を受信する。次に、その番組の映像、音声等の主情報をハードディスクに蓄積する。さらに受信した番組の音声信号からアナウンサの声を抜き出し数値化するが、ユーザがアナウンサの声の基準値を予め選んでおき、その基準値以上の項目を選択する。そして、ハードディスクからその項目の部分の映像、音声情報を抜き出し、ハードディスクに再編集番組として再蓄積される。その再編集番組をユーザが視聴するというフローになっている。
【００５５】
（実施の形態７）
以下、本発明の実施の形態について、図１、図２、図８、図１３を用いて説明する。
【００５６】
図１の構成および動作は、実施の形態１と全く同じものであるため、省略する。
【００５７】
図２は、構成は実施の形態１と全く同じであるため、省略するが、動作が異なるので次に説明する。
【００５８】
本発明のデジタル放送受信機の動作を、図２を用いて説明する。
【００５９】
まず、受信アンテナで受けたデジタル変調波をＲＦ入力部２１より入力し、チューナ／復調器２２でチューナにより受信電波からユーザが自動蓄積したい番組の搬送波を選択し、復調器でデジタル復調を行い電波により送られてきた信号よりトランスポートストリームを復元し、デスクランブラ２３でトランスポートストリームの中から鍵パケットを抽出し、デスクランブル動作（復号化）を行う。次に、ＤＥＭＵＸ部２４でデスクランブルされた（暗号化が解けた状態の）トランスポートストリームをデマルチプレクス（分離）し、映像や音声、データなどのコンテンツを分離し、後段と、ハードディスク２１１に渡し蓄積しておく。同時に、映像ＰＥＳや音声ＰＥＳはデコーダ部に渡される。そして、デコーダ部１４でＤＥＭＵＸ部１３からのビデオ／オーディオのＰＥＳを受け、元の映像や音声信号のデジタル的な信号にまで戻す。その後、ビデオエンコーダ部２６でデコーダ２５からの映像信号を元のアナログ映像信号に戻し、オーディオＤＡＣ部２７でデコーダ２５からの音声信号を元のアナログ音声信号に戻し、出力する。このとき、音声信号から観客の声を抜き出し、図８のように観客の声の大きさを数値化した時間毎の情報を作成する。そして、あらかじめ声の大きさの基準値を決めておき、その大きさよりも大きい時の時間の画像、音声データを抜き取り番組を再編集、ハードディスク２１１に再蓄積する。これらのすべての動作は、システム全体を制御するＣＰＵシステム部２８と、受信側で主情報と作成した情報を用いた新たな番組を再編集するための自動編集アルゴリズムを含んだ制御アルゴリズムとシステムの制御アルゴリズムが記憶されているＲＯＭ２９と、ＣＰＵシステム部２８の動作領域であるＲＡＭ２１０によって制御される。
【００６０】
ここでは、副情報を受信する手段として電話回線を一例にあげたが、衛星、ケーブル、地上波等の別のインフラを使用してもよい
図１２は、実施の形態１とは別発明となる本発明のデジタル放送用受信機の基本フローで実施の形態１とは別発明となる本発明のデジタル放送用受信機の基本フローであり、動作を説明する。まずユーザが再蓄積したい番組を選択しその番組を受信する。次に、その番組の映像、音声等の主情報をハードディスクに蓄積する。さらに受信した番組の音声信号から観客の声を抜き出し数値化するが、ユーザが観客の声の基準値を予め選んでおき、その基準値以上の項目を選択する。そして、ハードディスクからその項目の部分の映像、音声情報を抜き出し、ハードディスクに再編集番組として再蓄積される。その再編集番組をユーザが視聴するというフローになっている。
【００６１】
【発明の効果】
以上のように本発明のデジタル放送用受信機は、受信側でユーザの好みに合うように、自動的に番組内容を再編集するという機能を実現することにより、従来にはない新しい価値を持つユーザがテレビを効率よく視聴できるデジタル放送受信機を提供するものであり、実用上きわめて有利なものである。
【図面の簡単な説明】
【図１】本発明の一実施例のデジタル放送送受信システムのブロック図
【図２】本発明の一実施例のデジタル放送受信機を示すブロック図
【図３】本発明の一実施例の画像や音声等の主情報の時間毎の内容を示す副情報を示す図
【図４】本発明の一実施例のデジタル放送受信機の動作を示す基本フロー図
【図５】本発明の一実施例のデジタル放送受信機の動作を示す基本フロー図
【図６】本発明の一実施例の画像や音声等の主情報の時間毎の内容を示す副情報を示す図
【図７】本発明の一実施例のデジタル放送受信機の動作を示す基本フロー図
【図８】本発明の一実施例の画像や音声等の主情報の時間毎の内容を示す副情報を示す図
【図９】本発明の一実施例のデジタル放送受信機の動作を示す基本フロー図
【図１０】本発明の一実施例の画像や音声等の主情報の時間毎の内容を示す副情報を示す図
【図１１】本発明の一実施例のデジタル放送受信機の動作を示す基本フロー図
【図１２】本発明の一実施例のデジタル放送受信機の動作を示す基本フロー図
【図１３】本発明の一実施例の画像や音声等の主情報の時間毎の内容を示す副情報を示す図
【図１４】従来のデジタル放送送受信システムの一例を示すブロック図
【図１５】従来のデジタル放送受信機の構成を示すブロック図
【図１６】従来のデジタル放送受信機の構成を示すブロック図
【図１７】従来のデジタル放送用受信機の番組選択の基本フローチャート
【図１８】従来のデジタル放送用受信機の番組選択の基本フローチャート
【符号の説明】
１１　放送局
１２　送信アンテナ
１３　衛星ＩＳＤＢ
１４　受信アンテナ
１５　デジタル放送用受信機
２１　ＲＦ入力部
２２　チューナ／復調器
２３　デスクランブラ
２４　ＤＥＭＵＸ部
２５　デコーダ部
２６　ビデオエンコーダ部
２７　オーディオＤＡＣ部
２８　ＣＰＵシステム部
２９　ＲＯＭ
２１０　ＲＡＭ
２１１　ハードディスク
２１２　モデム
【図１】
2004146992.tif 000003
【図２】
2004146992.tif 000004
【図３】
2004146992.tif 000005
【図４】
2004146992.tif 000006
【図５】
2004146992.tif 000007
【図６】
2004146992.tif 000008
【図７】
2004146992.tif 000009
【図８】
2004146992.tif 000010
【図９】
2004146992.tif 000011
【図１０】
2004146992.tif 000012
【図１１】
2004146992.tif 000013
【図１２】
2004146992.tif 000014
【図１３】
2004146992.tif 000015
【図１４】
2004146992.tif 000016
【図１５】
2004146992.tif 000017
【図１６】
2004146992.tif 000018
【図１７】
2004146992.tif 000019
【図１８】
2004146992.tif 000020